(57)【要約】【課題】  レンズをリムから脱落しないようにしっかりと固定することができると共に、眼鏡フレームの軽量化、デザインの洗練化も可能で、しかも、デザインバリエーションの多様化も図れるハーフリム眼鏡のレンズ保持構造を提供すること。【解決手段】  左右レンズＬ・Ｌの抱持するリム11・11を備えたフロント枠１と；レンズＬに形成された外周溝Ｑに緊張状態で巻き付けて、前記フロント枠１のリム11に両端を取着可能な吊支バンド２とから成るハーフリム眼鏡のレンズ保持構造において、前記フロント枠１のリム11にスリット11aを設けると共に、このスリット幅よりも大きい幅サイズに成形された抜止め部31、及びスリット幅よりも小さい幅サイズに成形されたクビレ部32、及びレンズＬの外周溝Ｑの断面とほゞ同じ形状の嵌挿部33を有する異形断面線状のズレ止め部材３を、前記リム11のスリット11aに取り付けて構成した。【選択図】  図１
2014149475.tif 000002
【特許請求の範囲】
【請求項１】
左右レンズ(Ｌ)(Ｌ)の上半分または下半分を抱持するリム(11)(11)を備えたフロント枠(１)と；レンズ(Ｌ)に形成された外周溝(Ｑ)に緊張状態で巻き付けて、前記フロント枠(１)のリム(11)に両端を取着可能な吊支バンド(２)とから成るハーフリム眼鏡のレンズ保持構造において、
前記フロント枠(１)のリム(11)にスリット(11a)を設けると共に、このスリット幅よりも大きい幅サイズに成形された抜止め部(31)、及びスリット幅よりも小さい幅サイズに成形されたクビレ部(32)、及びレンズ(Ｌ)の外周溝(Ｑ)の断面とほゞ同じ形状の嵌挿部(33)を有する異形断面線状のズレ止め部材(３)が、前記リム(11)のスリット(11a)に取り付けられていることを特徴とするハーフリム眼鏡のレンズ保持構造。
【請求項２】
フロント枠(１)のリム(11)の外周面に、ズレ止め部材３の抜止め部31が内装される外溝部(11b)を設けると共に、この外溝部(11b)の底面にスリット(11a)を形成して構成したことを特徴とする請求項１記載のハーフリム眼鏡のレンズ保持構造。
【請求項３】
フロント枠(１)のリム(11)の外溝部(11b)内に、ズレ止め部材(３)の抜止め部(31)が埋まるように合成樹脂材料(Ｐ)を充填して構成したことを特徴とする請求項２記載のハーフリム眼鏡のレンズ保持構造。
【請求項４】
ズレ止め部材(３)の抜止め部(31)の断面形状を鏃型としたことを特徴とする請求項１〜３の何れか一つに記載のハーフリム眼鏡のレンズ保持構造。
【請求項５】
フロント枠(１)のリム(11)に複数のスリット(11a)(11a)…を部分的に形成して、複数のズレ止め部材(３)(３)…を装着可能に構成したことを特徴とする請求項１〜４の何れか一つに記載のハーフリム眼鏡のレンズ保持構造。
【請求項６】
フロント枠(１)のリム(11)を、テンプル(Ｔ)側の部位とレンズ(Ｌ)が接触しない形状で作製すると共に、リム(11)のスリット(11a)を、テンプル(Ｔ)側の端部の幅がズレ止め部材(３)の抜止め部(31)の幅よりも大きくなるように形成することによって、スリット(11a)の側方からズレ止め部材(３)をスライドさせて挿入可能としたことを特徴とする請求項１〜５の何れか一つに記載のハーフリム眼鏡のレンズ保持構造。
【発明の詳細な説明】
【技術分野】
【０００１】
本発明は、ハーフリム眼鏡のレンズ保持構造の改良、詳しくは、レンズをリムから脱落しないようにしっかりと固定することができ、しかも、眼鏡フレームの軽量化も可能で、デザインバリエーションの多様化も図れるハーフリム眼鏡のレンズ保持構造に関するものである。
【背景技術】
【０００２】
一般的に、レンズ固定手段が異なる眼鏡の形態としては、レンズ全体をリムで包囲して固定するフルリム型、ブリッジやヨロイにレンズを直接固定するリムレス型の眼鏡のほかに、レンズの上半分または下半分を包囲可能なリムに対し、レンズをバンドによって吊支して固定するハーフリム型の眼鏡が周知されている。
【０００３】
しかし、上記ハーフリム型の眼鏡に関しては、リムで包囲していない側のレンズ外周をバンドで吊支しただけでは、リムに対するレンズの前後方向のズレを充分に抑制することができないため、眼鏡装着時にちょっとした衝撃を受けただけでレンズがリムから外れて脱落してしまう危険性がある。
【０００４】
そこで、従来においては、リムに内溝を形成すると共に、リムとレンズが接触する部位に吊支用バンドとは異なるズレ止め用の線状部材を挿入して、この線状部材をリムの内溝とレンズの外周溝に実継ぎ状に嵌装することで、リムに対するレンズの前後方向のズレを抑制する方法が採られている(特許文献１,２参照)。
【０００５】
ところが、上記のようにリムに内溝を形成する従来の方法を採用すると、どうしてもリムの厚みを内溝の深さ以上に設計する必要があるため、フロント枠の重量が大きくなって眼鏡使用時に軽快な装着感を得難くなる。しかも、メタルフレームの場合、リムの厚みが大きくなると野暮ったい印象にもなり易い。
【０００６】
また更に、上記従来のリムに内溝を形成する方法を採用した場合、レンズ固定時にズレ止め用の線材がリムとレンズに覆われて外側から見え難い状態となるため、色付きの線状部材等を使用してもデザイン上の明確な差異として認識することが難しい。よって、デザインバリエーションの多様化にも利用できない。
【先行技術文献】
【特許文献】
【０００７】
【特許文献１】特開平８−６２５４３号
【特許文献２】特開平１０−１９７８２８号
【発明の概要】
【発明が解決しようとする課題】
【０００８】
そこで本発明は、上記の如き問題に鑑みて為されたものであり、その目的とするところは、レンズをリムから脱落しないようにしっかりと固定することができると共に、更に一歩進んで、眼鏡フレームの軽量化、デザインの洗練化も可能で、しかも、デザインバリエーションの多様化も図れるハーフリム眼鏡のレンズ保持構造を提供することにある。
【課題を解決するための手段】
【０００９】
本発明者が上記課題を解決するために採用した手段は次のとおりである。
【００１０】
即ち、本発明は、左右レンズＬ・Ｌの上半分または下半分を抱持するリム11・11を備えたフロント枠１と；レンズＬに形成された外周溝Ｑに緊張状態で巻き付けて、前記フロント枠１のリム11に両端を取着可能な吊支バンド２とから成るハーフリム眼鏡のレンズ保持構造において、
前記フロント枠１のリム11にスリット11aを設けると共に、このスリット幅よりも大きい幅サイズに成形された抜止め部31、及びスリット幅よりも小さい幅サイズに成形されたクビレ部32、及びレンズＬの外周溝Ｑの断面とほゞ同じ形状の嵌挿部33を有する異形断面線状のズレ止め部材３を、前記リム11のスリット11aに取り付けて構成した。
【００１１】
また、上記フロント枠１のリム11については、外周面にズレ止め部材３の抜止め部31が内装される外溝部11bを設けると共に、この溝部11bの底面にスリット11aを形成することによって、ズレ止め部材３を外部から保護できるようにしてもよい。
【００１２】
そして更に、上記フロント枠１のリム11の外溝部11b内に、ズレ止め部材３の抜止め部31が埋まるように合成樹脂材料Ｐを充填することによって、ズレ止め部材３の保護効果を高めるだけでなく、デザインの独創性を高めることもできる。
【００１３】
また、上記ズレ止め部材３に関しても、抜止め部31の断面形状を鏃型とすれば、ズレ止め部材３をリム11のスリット11aに押し込んで装着し易くなる。また更に、上記フロント枠１のリム11に複数のスリット11a・11a…を部分的に形成して、複数のズレ止め部材３・３…を挿入可能とすることで、リム11の剛性の低下も防止できる。
【００１４】
そしてまた、上記フロント枠１のリム11については、テンプルＴ側の部位とレンズＬが接触しない形状で作製すると共に、リム11のスリット11aを、テンプルＴ側の端部の幅がズレ止め部材３の抜止め部31の幅よりも大きくなるように形成することで、スリット11aの側方からズレ止め部材３をスライドさせて挿入することも可能となる。
【発明の効果】
【００１５】
本発明では、ハーフリム型の眼鏡において、フロント枠のリムに内溝を設ける代わりにスリットを設け、更にこのスリットにズレ止め用の線材を挿通した状態で固定可能としたことによって、リムの厚みをバンドの厚み以下に抑えることができるため、フロント枠のリムを薄型化して眼鏡フレームの軽量化を図ることが可能となる。
【００１６】
また、上記のようにリムを薄型化することでフロント枠を洗練された印象のデザインに仕上げることも可能となる。また更に、リムに固定したズレ止め部材は抜止め部が外側に露出した状態となるため、色付きの線材を使用すればリムの外周面にライン状の模様を形成することもでき、これによってデザインバリエーションの多様化も図れる。
【００１７】
したがって、本発明により、眼鏡フレームを軽量化して従来よりも更に軽快な装着感を得られるだけでなく、ファッション性を左右するデザイン上の課題も解決することが可能な新規のレンズ保持構造を有するハーフリム眼鏡を提供できることから、本発明の実用的利用価値は頗る高い。
【図面の簡単な説明】
【００１８】
【図１】本発明の実施例１におけるハーフリム型眼鏡のレンズ保持構造を表わす上面図及び正面図である。
【図２】本発明の実施例１におけるレンズ保持構造を表わす分解斜視図である。
【図３】本発明の実施例１におけるレンズ保持構造を表わす断面図である。
【図４】本発明の実施例２におけるハーフリム型眼鏡のレンズ保持構造を表わす上面図及び正面図である。
【図５】本発明の実施例２におけるレンズ保持構造を表わすＸ−Ｘ’断面からみた拡大斜視図である。
【図６】本発明の実施例２におけるレンズ保持構造の変形例を表わすＸ−Ｘ’断面図である。
【図７】本発明の実施例３におけるハーフリム眼鏡のレンズ保持構造を表わす上面図及び正面図である。
【図８】本発明の実施例３におけるズレ止め部材の挿入状態を表わす状態説明図である。
【図９】本発明の変形例におけるレンズ保持構造を表わす断面図である。
【発明を実施するための形態】
【００１９】
『実施例１』
本発明の実施例１について、図１〜図３に基いて説明する。なお同図において、符号１で指示するものは、ハーフリム型のフロント枠であり、符号２で指示するものは、吊支バンドである。そして、符号３で指示するものは、ズレ止め部材である。 
【００２０】
まず実施例１では、ハーフリム型のフロント枠１を、左右レンズＬ・Ｌの上半分を抱持するリム11・11を中央のブリッジ12で連結して構成すると共に、各リム11・11の両側端部には、レンズＬを吊って固定する吊支バンド２をリム11に取り付けるための挿通孔Ｈ・Ｈを二つ並べて設けている(図１、図２参照)。
【００２１】
そして、上記吊支バンド２を、レンズＬの縁部に全周的に形成した外周溝Ｑに緊張状態で巻き付けて、バンド両端をリム11両側の挿通孔Ｈ・Ｈに留めることによってレンズＬをリム11に固定できるようにしている。なお本実施例では、上記吊支バンド２にナイロン糸を使用しているが、他の糸材を使用することもできる。
【００２２】
また、上記フロント枠１のリム11には、所定長さのスリット11aを設ける一方、このスリット11aには、スリット幅よりも大きい幅サイズに成形された抜止め部31と、スリット幅よりも小さい幅サイズに成形されたクビレ部32と、レンズＬの外周溝Ｑの断面とほゞ同じ形状の嵌挿部33とを有する異形断面線状のズレ止め部材３を装着している(図３参照)。
【００２３】
なお本実施例では、上記ズレ止め部材３を、リム11のスリット11aに抜止め部31を強引に押し込んでクビレ部32まで挿通させているため、ズレ止め部材３がリム11から簡単に外れてしまうことはない。また本実施例では、上記ズレ止め部材３の抜止め部31の断面形状を鏃(やじり)型とすることで、抜止め部31をリム11のスリット11aに簡単に押し込めるようにしている。
【００２４】
そしてまた、本実施例においては、上記ズレ止め部材３の材料に強度に優れ、かつ、スリット11aへの押し込み時に弾性変形可能なポリアミド(ナイロン)樹脂を使用しているが、所定の強度条件を満たす材料であれば、他の合成樹脂材料やエラストマー材料等を使用することもできる。
【００２５】
また更に、本実施例では、上記フロント枠１のリム11に複数のスリット11a・11a…を分割して形成し、更にこれらの各スリット11a・11a…にズレ止め部材３・３…を挿入して構成しているため、リム11全体に亙ってスリット11を設けた場合でもリム11の剛性が低下し過ぎるようなこともない。
【００２６】
そして、上記のようにズレ止め部材３をリム11とレンズＬの間に挟んで構成したことにより、リム11に対するレンズＬの前後方向のズレを抑制することが可能となるため、眼鏡使用時に衝撃等を受けた場合でもレンズＬが簡単に外れる心配はなく、更にリム11を薄型化すること可能となる。
【００２７】
『実施例２』
次に、本発明の実施例２について、図４〜６に基いて以下に説明する。この実施例２では、フロント枠１のリム11の外周面に、ズレ止め部材３の抜止め部31を挿入可能な外溝部11bを設けると共に、この溝部11bの底面にスリット11aを形成することによって、ズレ止め部材３を外部から保護して摩耗等で傷み難くしている(図４、図５参照)。
【００２８】
また更に、上記フロント枠１のリム11の外溝部11b内に、図６に示すようにズレ止め部材３の抜止め部31が埋まるように透明または有色(半透明を含む)の合成樹脂材料Ｐを充填すれば、ズレ止め部材３の保護効果を高めるだけでなく、デザインの独創性を高めることもできる。
【００２９】
『実施例３』
次に、本発明の実施例３について、図７及び図８に基いて以下に説明する。この実施例３では、フロント枠１のリム11を、テンプルＴ側の部位とレンズＬが接触しない形状で作製すると共に、リム11のスリット11aを、テンプルＴ側のスリット端部の幅がズレ止め部材３の抜止め部31の幅よりも大きくなるように形成している(図７参照)。
【００３０】
これにより、上記リム11のスリット11aに対し、図８に示すようにテンプルＴ側の側方からズレ止め部材３をスライドさせて挿入することができるため、ズレ止め部材３の抜止め部31をスリット11aに強引に押し込む必要がなくなる。
【００３１】
本発明は、概ね上記のように構成されるが、記載した実施例にのみ限定されるものではなく、「特許請求の範囲」の記載内において種々の変更が可能であって、例えば、フロント枠１のリム11の形状には、レンズＬの上半分を抱持する形状だけでなく、レンズＬの下半分を抱持する形状(所謂、逆ナイロール型)を採用することもできる。
【００３２】
また、上記フロント枠１の材質に関しても、メタルフレームだけでなくプラスチックフレームやコンビネーションフレーム等も採用できる。また、リム11に形成するスリット11aの長さについても、リムの左右に２つ設けたり、短いスリットを４つ以上設けたりすることもできる。
【００３３】
一方、ズレ止め部材３の抜止め部31に関しても、取付け前に予め形成しておく必要はなく、図９に示すように、スリット幅よりも幅サイズが小さい突起部Ａをスリット11に挿通した後、外溝部11b内に樹脂材料(接着剤等)を充填して突起部Ａの先端側に抜止め部31を形成することもできる。また、スリット11に挿入した突起部Ａの先端側にキャップ状の部材を取り付けて抜止め部31を形成することもできる(図示せず)。
【００３４】
また更に、ズレ止め部材３の嵌装部33の形状についても、レンズＬの外周溝Ｑの形状に合わせて自由に変更することができ、例えば、外周溝Ｑを凹溝でなくＶ溝状とする場合には、それに合わせて嵌装部33を形状を三角型とすることができ、何れのものも本発明の技術的範囲に属する。
【産業上の利用可能性】
【００３５】
近年、眼鏡を選択する上で装着感やファッション性が非常に重要な要素となっており、軽快で掛け心地の良いお洒落な眼鏡フレームが市場で求められている。そのような中で、本発明のハーフリム眼鏡のレンズ保持構造は、フロント枠の軽量化が図れるだけでなくフレームデザインをよりスマートな印象に改善することのできる有用な技術であるため、その産業上の利用価値は非常に高い。
【符号の説明】
【００３６】
１  フロント枠
11  リム
11a  スリット
11b  外溝部
11c  充填材
12  ブリッジ
２  吊支バンド
３  ズレ止め部材
31  抜止め部
32  クビレ部
33  嵌挿部
Ｌ  レンズ
Ｈ  挿通孔
Ｑ  外周溝
Ｐ  合成樹脂材料
Ｔ  テンプル
Ａ  突起部
【図１】
2014149475.tif 000003
【図２】
2014149475.tif 000004
【図３】
2014149475.tif 000005
【図４】
2014149475.tif 000006
【図５】
2014149475.tif 000007
【図６】
2014149475.tif 000008
【図７】
2014149475.tif 000009
【図８】
2014149475.tif 000010
【図９】
2014149475.tif 000011